(57)【要約】【課題】主に、空調装置本体の小型化に対する制限を無くし得るようにする。【解決手段】温風側開口部２１および冷風側開口部２２を有する枠状のスライドドアケース２３と、スライドドアケース２３に沿ってスライドすることにより温風側開口部２１および冷風側開口部２２を開閉または開度調整可能なスライドドア部２４とを有するスライドドアユニット２５が設けられる。スライドドアユニット２５の風上側に、スライドドア部２４のスライドを駆動可能なスライド駆動部２９が設けられる。スライド駆動部２９が、スライドドア部２４に設けられてスライド方向へ延びるラック部３５と、ラック部３５に駆動力を伝達するギヤ機構部３６とを有する。上記構成のミックスドア１９に対して、ラック部３５の側面に、ラック部３５の弾性変形を許容可能な変形許容部６１を設けるようにしている。【選択図】図７
2013132952.tif 000002
【特許請求の範囲】
【請求項１】
温風側開口部および冷風側開口部を有する枠状のスライドドアケースと、
該スライドドアケースに沿ってスライドすることにより前記温風側開口部および冷風側開口部を開閉または開度調整可能なスライドドア部とを有するスライドドアユニットが設けられ、
該スライドドアユニットの風上側に、スライドドア部のスライドを駆動可能なスライド駆動部が設けられ、
該スライド駆動部が、前記スライドドア部に設けられてスライド方向へ延びるラック部と、該ラック部に駆動力を伝達するギヤ機構部とを有するミックスドア構造において、
前記ラック部の側面に、ラック部の弾性変形を許容可能な変形許容部を設けたことを特徴とするミックスドア構造。
【請求項２】
前記変形許容部が、誤差吸収用スリット部または誤差吸収用溝部であることを特徴とする請求項１記載のミックスドア構造。
【請求項３】
前記変形許容部が、複数本設けられたことを特徴とする請求項１または請求項２記載のミックスドア構造。
【請求項４】
前記ラック部の両端部にドア閉止部が設定され、前記ラック部の中央部に位置決部が設定されると共に、
前記ドア閉止部および位置決部の少なくとも一方の弾性変形能が相対的に低くなり、上記以外の部分の弾性変形能が相対的に高くなるように、前記変形許容部が形成されたことを特徴とする請求項３記載のミックスドア構造。
【請求項５】
前記ドア閉止部および位置決部以外の部分に対し、ラック部の手前側に２本の変形許容部を設け、位置決部に対し、ラック部の奥側に１本の変形許容部を設け、ドア閉止部に対し、変形許容部の無い部分を設けたことを特徴とする請求項４記載のミックスドア構造。
【発明の詳細な説明】
【技術分野】
【０００１】
この発明は、空調装置本体の小型化に対する制限を無くし得るようにしたミックスドア構造に関するものである。
【背景技術】
【０００２】
自動車などの車両には、空気調和装置（以下、空調装置という）が設けられている（例えば、特許文献１参照）。
【０００３】
この空調装置は、車室の前部に設置された空調装置本体と、この空調装置本体から車室の各部に設けられた吹出口に対して空調用空気を送給するダクトとを備えている。
【０００４】
空調装置本体は、中空の空調装置筐体部を備えると共に、この空調装置筐体部には空気取入口および空気取出口が設けられている。
【０００５】
中空の空調装置筐体部は、その内部に、風上側から順にエバポレータ（冷却用熱交換器）と、ヒータコア（加熱用熱交換器）とを有している。エバポレータの風下側は、温風通路とバイパス通路とに分けられており、ヒータコアは、温風通路の内部に設けられている。そして、エバポレータとヒータコアとの間には、エバポレータを通過した空調用空気を温風通路とバイパス通路とに対して分配可能なミックスドアが設けられている。
【０００６】
上記したミックスドアは、温風側開口部および冷風側開口部を有する枠状のスライドドアケースと、このスライドドアケースに沿ってスライドすることにより温風側開口部および冷風側開口部を開閉または開度調整可能なスライドドア部とを有するスライドドアユニットを備えている。
【０００７】
スライドドアユニットは、スライドドアケースに対してスライドドア部を取付可能なドア取付壁部を備えている。また、スライドドアユニットは、スライドドア部をスライド自在に支持するスライドガイド部を備えている。
【０００８】
更に、スライドドアユニットには、図９に示すような、スライドドア部ａのスライドを駆動可能なスライド駆動部ｂが設けられている。
【０００９】
このスライド駆動部ｂは、スライドドア部ａに設けられてスライド方向へ延びるラック部ｂ１と、このラック部ｂ１に駆動力を伝達するギヤ機構部とを有している。このギヤ機構部は、少なくともラック部ｂ１と直接噛み合う出力ギヤなどのギヤ部ｂ２を備えている。必要に応じて、ギヤ機構部は、出力ギヤなどのギヤ部ｂ２に駆動力を伝達する入力ギヤ部などのギヤ部ｂ３を備えることができる。
【００１０】
そして、上記した出力ギヤなどのギヤ部ｂ２や入力ギヤ部などのギヤ部ｂ３には、寸法誤差や組付誤差を吸収するための誤差吸収用スリット部ｃ１，ｃ２が形成されている。
【先行技術文献】
【特許文献】
【００１１】
【特許文献１】特開２０００−３５５２１２号公報
【発明の概要】
【発明が解決しようとする課題】
【００１２】
しかしながら、上記特許文献１に記載されたミックスドア構造には、以下のような問題があった。
【００１３】
即ち、ギヤ部ｂ２，ｂ３に対して誤差吸収用スリット部ｃ１，ｃ２を直接設けた場合、誤差吸収用スリット部ｃ１，ｃ２の分だけギヤ部ｂ２，ｂ３を大径化せざるを得なくなり、ギヤ部ｂ２，ｂ３の小径化が困難になるという問題があった。そして、このことが、空調装置本体を小型化する場合の制限になっている。
【課題を解決するための手段】
【００１４】
請求項１に記載された発明は、温風側開口部および冷風側開口部を有する枠状のスライドドアケースと、該スライドドアケースに沿ってスライドすることにより前記温風側開口部および冷風側開口部を開閉または開度調整可能なスライドドア部とを有するスライドドアユニットが設けられ、該スライドドアユニットの風上側に、スライドドア部のスライドを駆動可能なスライド駆動部が設けられ、該スライド駆動部が、前記スライドドア部に設けられてスライド方向へ延びるラック部と、該ラック部に駆動力を伝達するギヤ機構部とを有するミックスドア構造において、前記ラック部の側面に、ラック部の弾性変形を許容可能な変形許容部を設けたことを特徴とする。
【００１５】
請求項２に記載された発明は、上記において、前記変形許容部が、誤差吸収用スリット部または誤差吸収用溝部であることを特徴とする。
【００１６】
請求項３に記載された発明は、上記において、前記変形許容部が、複数本設けられたことを特徴とする。
【００１７】
請求項４に記載された発明は、上記において、前記ラック部の両端部にドア閉止部が設定され、前記ラック部の中央部に位置決部が設定されると共に、前記ドア閉止部および位置決部の少なくとも一方の弾性変形能が相対的に低くなり、上記以外の部分の弾性変形能が相対的に高くなるように、前記変形許容部が形成されたことを特徴とする。
【００１８】
請求項５に記載された発明は、上記において、前記ドア閉止部および位置決部以外の部分に対し、ラック部の手前側に２本の変形許容部を設け、位置決部に対し、ラック部の奥側に１本の変形許容部を設け、ドア閉止部に対し、変形許容部の無い部分を設けたことを特徴とする。
【発明の効果】
【００１９】
請求項１の発明によれば、上記構成によって、以下のような作用効果を得ることができる。即ち、ラック部の側面に変形許容部を設けることにより、ラック部の弾性変形を許容することができる。これにより、スライド駆動部やミックスドアなどの寸法誤差や組付誤差を吸収させることが可能となる。そして、当該位置に変形許容部を形成することにより、ギヤ機構部を構成するギヤ部などの小径化を図ることが可能となる。以って、空調装置全体の小型化に対する制限をなくすことができる。
【００２０】
請求項２の発明によれば、上記構成によって、以下のような作用効果を得ることができる。即ち、変形許容部を、誤差吸収用スリット部または誤差吸収用溝部としたことにより、スライド駆動部やミックスドアなどの寸法誤差や組付誤差を確実に吸収することが可能となる。
【００２１】
請求項３の発明によれば、上記構成によって、以下のような作用効果を得ることができる。即ち、変形許容部を複数本設けることにより、ラック部の弾性変形能を自在に設定、調整し得るようになる。
【００２２】
請求項４の発明によれば、上記構成によって、以下のような作用効果を得ることができる。即ち、ドア閉止部および位置決部の少なくともいずれかの弾性変形能が低くなり、上記以外の部分の弾性変形能がより高くなるように、変形許容部が形成されたことにより、ドア閉止部と位置決部との少なくとも一方の剛性を他の部分よりも高めることができる。
【００２３】
請求項５の発明によれば、上記構成によって、以下のような作用効果を得ることができる。即ち、ドア閉止部および位置決部以外の部分に対し、ラック部の手前側に２本の変形許容部を設け、位置決部に対し、ラック部の奥側に１本の変形許容部を設け、ドア閉止部に対し、変形許容部を設けないようにしたことにより、ドア閉止部および位置決部以外の部分の弾性変形能を最も高くし、位置決部の弾性変形能を中間にし、ドア閉止部の弾性変形能を最も低くすることができる。
【図面の簡単な説明】
【００２４】
【図１】本発明の実施例にかかる空調装置が設けられた車両の斜視図である。
【図２】図１のインストルメントパネルを乗員側から見た図である。
【図３】図１の空調装置本体の側方断面図である。
【図４】図３のミックスドアを車両前方側から見た斜視図である。
【図５】図４の中央のスライドドアユニットの斜視図である。
【図６】図５の分解斜視図である。
【図７】本発明にかかるスライド駆動部の側面図である。
【図８】本発明の変形例にかかるスライド駆動部の側面図である。
【図９】従来例にかかるスライド駆動部の側面図である。
【発明を実施するための形態】
【００２５】
以下、本発明を具体化した実施例を、図面を用いて詳細に説明する。
【００２６】
図１〜図８は、この実施例およびその変形例を示すものである。
【実施例】
【００２７】
＜構成＞以下、構成について説明する。
【００２８】
図１または図２に示すように、自動車などの車両１には、空気調和装置（以下、空調装置２という）が設けられている。
【００２９】
この空調装置２は、車室の前部に設置されたインストルメントパネル３の内部に設けられた空調装置本体４と、この空調装置本体４から車室の各部に設けられた吹出口５に対して空調用空気を送給するダクト６とを備えている。
【００３０】
上記した空調装置本体４は、図３に示すように、中空の空調装置筐体部１１を備えると共に、この空調装置筐体部１１には、空気取入口１２および空気取出口１３が設けられている。なお、特に詳細には説明しないが、空気取入口１２は、外気取入口と、内気取入口とを備えている。また、空気取出口１３は、複数箇所設けられており、空調装置筐体部１１の内部には、複数の空気取出口１３に対して空調用空気を分配するための分配機構が設けられている。
【００３１】
中空の空調装置筐体部１１の内部には、空気取入口１２と空気取出口１３との間に、風上側から順にエバポレータ１５（冷却用熱交換器）と、ヒータコア１６（加熱用熱交換器）とが設けられている。エバポレータ１５の風下側は、隔壁などによって温風通路１７とバイパス通路１８とに分けられており、ヒータコア１６は、温風通路１７の内部に設けられている。この場合、温風通路１７とバイパス通路１８とは、上下に隔てて設けられており、温風通路１７は、バイパス通路１８の下側に設けられている。
【００３２】
そして、エバポレータ１５とヒータコア１６との間には、エバポレータ１５を通過した空調用空気を温風通路１７とバイパス通路１８とに対して分配可能なミックスドア１９が設けられている。この場合、ミックスドア１９は風下側へ突出する円弧状のものとされている。
【００３３】
ここで、エバポレータ１５は、空調装置２で使用される冷却媒体（以下、冷媒という）の蒸発潜熱を利用して空調用空気を冷却するようにしたものである。また、ヒータコア１６はエンジンによって加熱された冷却水（エンジン冷却水）の熱を利用して空調用空気を加熱するようにしたものである。
【００３４】
上記したミックスドア１９は、図４に示すようなものであり、基本的には、温風側開口部２１および冷風側開口部２２を有する枠状のスライドドアケース２３と、このスライドドアケース２３に沿って温風側開口部２１と冷風側開口部２２との間をスライドすることにより温風側開口部２１および冷風側開口部２２を開閉または開度調整可能なスライドドア部２４と、を有するスライドドアユニット２５とされている。なお、温風側開口部２１は、温風通路１７内に設置され、冷風側開口部２２は、バイパス通路１８内に設置される。
【００３５】
上記したスライドドアユニット２５は、スライドドアケース２３の両側部に対してスライドドア部２４を取付可能な一対のドア取付壁部２６を備えている。また、スライドドアユニット２５は、スライドドア部２４をスライド自在に支持するスライドガイド部２８を備えている。このスライドガイド部２８は、スライドドア部２４の両側部から突設されたガイドピンと、ドア取付壁部２６に設けられたガイド溝とを有するものとされている。
【００３６】
更に、スライドドアユニット２５には、スライドドア部２４のスライドを駆動可能なスライド駆動部２９が設けられている。
【００３７】
上記したスライド駆動部２９は、スライドドア部２４に設けられてスライド方向へ延びるラック部３５と、このラック部３５に駆動力を伝達するギヤ機構部３６とを有している。
【００３８】
このギヤ機構部３６は、主に、ラック部３５に直接噛み合う出力ギヤ４１などのギヤ部と、この出力ギヤ４１の軸心に取付けられた出力軸４２と、この出力軸４２をドア取付壁部２６に対して軸支させる軸支部４３などによって構成されている。
【００３９】
そして、スペースに余裕がある場合には、ラック部３５を、スライドドア部２４の両側部に一対設け、出力ギヤ４１を、ラック部３５と対応させて出力軸４２の両端部近傍に一対設け、出力軸４２の両端部を、軸支部４３を介してドア取付壁部２６に軸支させるようにする。また、出力軸４２を、スライド方向に対し、温風側開口部２１と冷風側開口部２２との間の（境界）位置に設けるようにする。この構造により、ギヤ機構部３６を構成する出力ギヤ４１に空調用空気が直接当たらないか、或いは、空調用空気が当たり難くなるような構成とすることが可能となる。なお、出力軸４２には図示しない外部の駆動装置が接続される。
【００４０】
更に、この実施例では、空調装置本体４の内部を複数のゾーンに分割して各ゾーン毎に空調をコントロールし得るようにすることも行われている。例えば、運転席用と、助手席用との２つのゾーンＡ，Ｂに分割したり、更に、後部座席用のゾーンＣを加えて３つのゾーンＡ〜Ｃに分割したりすることができる。そして、複数のゾーンＡ〜Ｃに分割する場合には、空調装置本体４の内部を隔壁（ゾーン分割用隔壁４８）などでゾーンＡ〜Ｃの数だけ仕切る必要がある。同時に、ミックスドア１９も各ゾーンＡ〜Ｃの数だけ分割する必要がある。例えば、各ゾーンＡ〜Ｃごとに、独立したスライドドアユニット２５を設けると共に、これらを連結して一体化させるようにする。
【００４１】
これに伴い、中央に位置された後部座席用のゾーンＣのスライドドアユニット２５では、温風側開口部２１と冷風側開口部２２との間の位置に設けられた出力軸４２に対して、外部の駆動装置を直接接続することができなくなるので、例えば、風量の比較的少ない温風側開口部２１の側に、入力ギヤ４４などのギヤ部や、この入力ギヤ４４を軸支するための入力軸４５を追設し、入力軸４５をゾーンＡ，Ｂの少なくとも一方を通すことにより、入力軸４５を介して間接的に外部の駆動装置へ接続し得るようにする。また、必要な場合には、入力ギヤ４４や出力軸４２に、入力ギヤ４４と噛み合う中間ギヤ４６を付設するようにしても良い。
【００４２】
なお、図中、符号５０は、出力ギヤ４１を保護するギヤカバーである。
【００４３】
そして、以上のような基本構成に対し、この実施例のものでは、以下のような構成を備えるようにしている。
【００４４】
（構成１）
図７または図８に示すように、上記したラック部３５の側面に、ラック部３５の弾性変形を許容可能な変形許容部６１を設けるようにする。
【００４５】
ここで、ラック部３５は、ラック部３５の本体部分３５ａの頂部に沿って複数のラック歯３５ｂを有するものとされる。ラック部３５の本体部分３５ａは、中実であっても、コ字断面（Ｃ字断面）やロ字断面のような中空のものであっても良い。
【００４６】
変形許容部６１は、ラック部３５の若干の変形を許容することにより、誤差吸収部として機能し得るものとする。変形許容部６１は、ほぼラック部３５の長手方向（スライド方向）へ向けて延設される。この場合、ラック部３５は円弧状とされているので、変形許容部６１もラック歯３５ｂと等間隔の円弧状のものとすることができる。或いは、変形許容部６１は、ラック歯３５ｂと不等間隔の円弧状のものとすることができる。また、円弧状以外の形状、例えば、直線状や曲線状、折線状、多角状などとすることができる。
【００４７】
この場合、主に、中間のゾーンＣのラック部３５に対して変形許容部６１を設けるようにしている。そして、出力ギヤ４１には、変形許容部などを設けないようにしている。また、図７および図８では、入力ギヤ４４を省略しているが、入力ギヤ４４にも変形許容部などを設けないようにする。なお、両側のゾーンＡ、Ｂのラック部３５に対して変形許容部６１を設け、出力ギヤ４１には、変形許容部などを設けないようにしても良い。
【００４８】
（構成２）
変形許容部６１を、誤差吸収用スリット部または誤差吸収用溝部とする。
【００４９】
ここで、誤差吸収用スリット部は、ラック部３５の側面を貫通するものとされる。また、誤差吸収用溝部は、ラック部３５の側面を貫通しないものとされる。この場合には、誤差吸収用スリット部としている。
【００５０】
誤差吸収用スリット部および誤差吸収用溝部は、その幅寸法（スリット幅または溝幅）によって、弾性変形能を設定、調整することが可能である。誤差吸収用スリット部および誤差吸収用溝部は、そのスリット内や溝内に、弾性変形能を規制可能な小突起状の弾性変形能規制部などを設けることができる。
【００５１】
（構成３）
図８に示すように、変形許容部６１が、複数本設けられるようにする。
【００５２】
ここで、変形許容部６１は、２本以上設けることができる。図８では３本としている。
【００５３】
（構成４）
ラック部３５の両端部にドア閉止部６５が設定され、ラック部３５の中央部に位置決部６６が設定される。そして、ドア閉止部６５および位置決部６６の少なくとも一方の弾性変形能が相対的に低くなり（弾性変形し難くなり）、上記以外の部分の弾性変形能が相対的に高くなる（弾性変形し易くなる）ように、変形許容部６１が形成される。
【００５４】
ここで、ドア閉止部６５は、温風側開口部２１または冷風側開口部２２が全閉となった時にスライドドアケース２３に対してドア部を押圧することにより、全閉状態でのシール性を確保、向上させるために、ラック部３５の両端部に設けられた高歯部などとされる。この高歯部は、端部へ進むに従い徐々に高くなるように形成されている。
【００５５】
また、位置決部６６は、位置決め（センタリング）ポイントとしてラック部３５の中央部に設けられた歯欠部などとされる。これに対し、ギヤ機構部３６のギヤ部（出力ギヤ４１）には、中央位置で歯欠部と噛み合う広歯部が設けられる。
【００５６】
そして、上記のようにするために、例えば、図７に示すように、変形許容部６１をラック歯３５ｂと不等間隔の円弧状または曲線状として、位置決部６６で、他の部分よりも変形許容部６１がラック歯３５ｂから遠くなるようにする（但し、円弧の向きは同じにしている）。即ち、ラック歯３５ｂよりも曲率の小さい円弧状などとする。
【００５７】
また、ドア閉止部６５に対し、変形許容部６１の無い部分を設けるようにしている。即ち、変形許容部６１を、ラック歯３５ｂよりも短くして、ドア閉止部６５に達しない長さとしている。更に、ドア閉止部６５の周辺に補強部７１を設けるようにしても良い。この補強部７１は、補強リブなどとされている。
【００５８】
（構成５）
或いは、図８に示すように、ドア閉止部６５および位置決部６６以外の部分に対し、ラック部３５の手前側に２本の変形許容部６１（６１ａ）を設け、位置決部６６に対し、ラック部３５の奥側に１本の変形許容部６１（６１ｂ）を設け、ドア閉止部６５に対し、変形許容部６１の無い部分を設けるようにする。
【００５９】
この場合、手前側の２本の変形許容部６１と、奥側の１本の変形許容部６１とは、近接する端部が、ラック部３５の高さ方向に対して僅かにラップされるようにして、ラップした部分が最も弾性変形能が高くなるようにしている。更に、図７と同様、ドア閉止部６５の周辺に補強部７１を設けるようにしても良い。この補強部７１は、補強リブなどとされている。
【００６０】
＜作用＞以下、この実施例の作用について説明する。
【００６１】
空気取入口１２から空調装置筐体部１１の内部へ取入れられた空調用空気は、エバポレータ１５（冷却用熱交換器）で除湿冷却された後、ミックスドア１９によって温風通路１７またはバイパス通路１８に分配され、ヒータコア１６（加熱用熱交換器）で加熱されるか、ヒータコア１６を通らずにそのままの状態とされるか、或いは、ヒータコア１６（加熱用熱交換器）で加熱されたものと加熱されないものとが混合されるかして、空気取出口１３から取出され、ダクト６を通して車室の各部に設けられた吹出口５から吹出される。これにより、車室内の空調が行われる。
【００６２】
＜効果＞この実施例によれば、以下のような効果を得ることができる。
【００６３】
（効果１）
ラック部３５の側面に変形許容部６１を設けることにより、ラック部３５の弾性変形を許容することができる。これにより、スライド駆動部２９やミックスドア１９などの寸法誤差や、ミックスドア１９を組立てる際の組付誤差を変形許容部６１にて吸収させることが可能となる。この際、ラック部３５の側面には若干のスペース的な余裕があるため、ラック部３５の側面に支障なく変形許容部６１を設けることができる。そして、当該位置に変形許容部６１を形成することにより、ギヤ機構部３６を構成するギヤ部などの小径化を図ることが可能となる。以って、空調装置２全体の小型化に対する制限をなくすことができる。
【００６４】
これに対し、ギヤ機構部３６のギヤ部に変形許容部６１を直接設ける場合には、ギヤ部を（ある程度よりも）小径化することが困難となるため、空調装置２全体の小型化に対する制限となってしまうおそれが生じる。
【００６５】
（効果２）
変形許容部６１を、誤差吸収用スリット部または誤差吸収用溝部としたことにより、スライド駆動部２９やミックスドア１９などの寸法誤差や組付誤差を確実に吸収することが可能となる。
【００６６】
また、誤差吸収用スリット部および誤差吸収用溝部は、その幅寸法（スリット幅または溝幅）を大きくすることによって弾性変形能を大きくしたり、その幅寸法（スリット幅または溝幅）を小さくすることによって弾性変形能を小さくしたりすることができる。
【００６７】
更に、誤差吸収用スリット部および誤差吸収用溝部は、そのスリット内や溝内に、小突起状の弾性変形能規制部などを設けることにより、弾性変形能を規制することができる。
【００６８】
（効果３）
変形許容部６１を複数本設けることにより、ラック部３５の弾性変形能を自在に設定、調整し得るようになる。
【００６９】
例えば、複数本の変形許容部６１をラック部３５の長手方向に間隔を有して設けることにより、変形許容部６１を設けた部分の弾性変形能を相対的に高くすると共に、変形許容部６１間の部分の弾性変形能を相対的に低くすることができる。
【００７０】
また、複数本の変形許容部６１をラック部３５の高さ方向にズラせて設けることにより、ラック部３５の手前側（浅い位置）に変形許容部６１を設けた部分の弾性変形能を相対的に高くすると共に、ラック部３５の奥側（深い位置）に変形許容部６１を設けた部分の弾性変形能を相対的に低くすることができる。
【００７１】
なお、変形許容部６１をラック部３５と不等間隔に設けることにより、１本の変形許容部６１でも上記と同様の作用効果を得ることができる。
【００７２】
そして、複数本の変形許容部６１をラック部３５の長手方向に（高さをズラせた状態で）ラップさせることにより、ラップされた部分の弾性変形能をより高めることができる。
【００７３】
（効果４）
ドア閉止部６５および位置決部６６の少なくともいずれかの弾性変形能が相対的に低くなり、上記以外の部分の弾性変形能が相対的に高くなるように、変形許容部６１が形成されたことにより、ドア閉止部６５と位置決部６６との少なくとも一方の剛性をこれら以外の部分よりも高めることができる。
【００７４】
これにより、全閉状態におけるシール性を確保することや、センタリング性を確保することなどが可能となる。
【００７５】
（効果５）
ドア閉止部６５および位置決部６６以外の部分に対し、ラック部３５の手前側に２本の変形許容部６１を設け、位置決部６６に対し、ラック部３５の奥側に１本の変形許容部６１を設け、ドア閉止部６５に対し、変形許容部６１の無い部分を設けたことにより、ドア閉止部６５および位置決部６６以外の部分の弾性変形能を最も高くし、位置決部６６の弾性変形能を中間にし、ドア閉止部６５の弾性変形能を最も低くすることができる。これにより、ラック部３５の各部に、最適な弾性変形能または剛性を持たせることが可能となる。
【００７６】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７７】
２１  温風側開口部
２２  冷風側開口部
２３  スライドドアケース
２４  スライドドア部
２５  スライドドアユニット
２９  スライド駆動部
３５  ラック部
３６  ギヤ機構部
６１  変形許容部
６５  ドア閉止部
６６  位置決部
７１  補強部
【図１】
2013132952.tif 000003
【図２】
2013132952.tif 000004
【図３】
2013132952.tif 000005
【図４】
2013132952.tif 000006
【図５】
2013132952.tif 000007
【図６】
2013132952.tif 000008
【図７】
2013132952.tif 000009
【図８】
2013132952.tif 000010
【図９】
2013132952.tif 000011